(57)【要約】      （修正有）【課題】構造が簡単で、接続信頼性が高く、且つ操作しやすく、ロック時の安定性を向上させ、ばね部材を用いる必要がなく、長期使用状態でばね疲労の問題を解消する伸縮式脚パイプ型ロック機構つきのテントを提供する。【解決手段】テント天井フレーム１と、テント天井フレーム１の下方に接続される支持脚２とを備え、支持脚２は、固定脚パイプ２０１、固定脚パイプ２０１の内部に上下に移動可能な可動脚パイプ２０２、及び可動脚パイプ２０２の移動を制限するロック機構を備える伸縮式脚パイプ型ロック機構付きのテントであって、ロック機構は、固定脚パイプ２０１に可動に設けられ、可動脚パイプ２０２に対して前後に移動可能なロック押圧板、及びロック押圧板と連動して可動脚パイプ２０２をロックするロック部材を備える。【選択図】図１
0003230018.tif 000002
【実用新案登録請求の範囲】
【請求項１】
テント天井フレーム（１）と、前記テント天井フレーム（１）の下方に接続される支持脚（２）とを備え、前記支持脚（２）は、固定脚パイプ（２０１）、前記固定脚パイプ（２０１）の内部に上下に移動可能な可動脚パイプ（２０２）、及び前記可動脚パイプ（２０２）の移動を制限するロック機構を備える伸縮式脚パイプ型ロック機構付きのテントであって、
前記ロック機構は、前記固定脚パイプ（２０１）に可動に設けられ、前記可動脚パイプ（２０２）に対して前後に移動可能なロック押圧板（２０４）、及び前記ロック押圧板（２０４）と連動して前記可動脚パイプ（２０２）をロックするロック部材（２０６）を備える、ことを特徴とする伸縮式脚パイプ型ロック機構付きのテント。
【請求項２】
前記固定脚パイプ（２０１）の下開口には、取り付けベース（２０３）が固定して設けられ、前記取り付けベース（２０３）には、ストローク孔（２０３３）が設けられ、前記ストローク孔（２０３３）には、設けられる軸（２０５）を介して前記ロック押圧板（２０４）が接続され、前記ロック押圧板（２０４）は、回転することにより前記軸（２０５）を前記ストローク孔（２０３３）に移動させ、それにより前記ロック押圧板（２０４）を前記可動脚パイプ（２０２）に対して前後移動させる、ことを特徴とする請求項１に記載の伸縮式脚パイプ型ロック機構付きのテント。
【請求項３】
前記ロック部材（２０６）は、前記可動脚パイプ（２０２）と緊密に嵌合してロック可能なロック側（２０６１）、及び前記ロック押圧板（２０４）に接続された接続側（２０６２）を備え、前記ロック側（２０６１）は、前記ロック押圧板（２０４）に連動して前記可動脚パイプ（２０２）に対して接離することでロック及びロック解除を実現する、ことを特徴とする請求項１又は２に記載の伸縮式脚パイプ型ロック機構付きのテント。
【請求項４】
前記可動脚パイプ（２０２）に近い前記ロック押圧板（２０４）の一側には、前記可動脚パイプ（２０２）の外部に延びる位置決めブロック（２０４１）がさらに設けられ、ロック状態では、前記位置決めブロック（２０４１）は、前記可動脚パイプ（２０２）に当接する、ことを特徴とする請求項１又は２に記載の伸縮式脚パイプ型ロック機構付きのテント。
【請求項５】
前記ロック部材（２０６）と前記ロック押圧板（２０４）は、前記軸（２０５）を介して同軸に設けられる、ことを特徴とする請求項２に記載の伸縮式脚パイプ型ロック機構付きのテント。
【請求項６】
前記取り付けベース（２０３）は、上下に結合された上部取り付けベース（２０３１）と下部取り付けベース（２０３２）を備える、ことを特徴とする請求項２に記載の伸縮式脚パイプ型ロック機構付きのテント。
【請求項７】
前記可動脚パイプ（２０２）に近い前記ロック押圧板（２０４）の一側には、前記可動脚パイプ（２０２）の外部に延びる当接ピン（２０４２）が設けられ、前記当接ピン（２０４２）の内部には前記軸（２０５）が設けられ、ロック状態では、前記当接ピン（２０４２）は、前記取り付けベース（２０３）又は前記固定脚パイプ（２０１）に当接して、前記軸（２０５）を前記可動脚パイプ（２０２）から遠い前記ストローク孔（２０３３）の一端に移動させ、ロック解除状態では、前記当接ピン（２０４２）は、前記取り付けベース（２０３）又は前記固定脚パイプ（２０１）と分離し、前記軸（２０５）を前記可動脚パイプ（２０２）に近い前記ストローク孔（２０３３）の一端に移動させる、ことを特徴とする請求項２又は５に記載の伸縮式脚パイプ型ロック機構付きのテント。
【請求項８】
前記ロック部材（２０６）は、Ｕ字形部材であり、その開口端が前記接続側（２０６２）であり、開口端から離れる一端が前記ロック側（２０６１）であり、前記可動脚パイプ（２０２）は前記ロック部材（２０６）を貫通しており、ロック状態では、前記ロック側（２０６１）は、前記可動脚パイプ（２０２）に当接し、ロック解除状態では、前記ロック側（２０６１）は、前記可動脚パイプ（２０２）と分離している、ことを特徴とする請求項３に記載の伸縮式脚パイプ型ロック機構付きのテント。
【請求項９】
前記当接ピン（２０４２）には、円弧形案内面（２０４３）が設けられる、ことを特徴とする請求項７に記載の伸縮式脚パイプ型ロック機構付きのテント。
【考案の詳細な説明】
【技術分野】
【０００１】
本考案は、折り畳み式テントの技術分野に属し、具体的には便利な伸縮式脚パイプ型ロック機構つきのテントに関する。
【背景技術】
【０００２】
折り畳み式テントは、大規模な展示会、モバイルストール、室外運動、旅行、探検、一時的な場所、一時的なガレージなど、人々の日常生活で幅広く使用されており、日よけ、雨風を防ぐことができ、軽量で耐久性があり、携帯しやすく、収納しやすいなどの特徴を有する。
【０００３】
折り畳み式テントのほとんどは、伸縮可能な支持脚を使用する。該伸縮可能な支持脚は、外部パイプ、内部パイプ及び外部パイプと内部パイプの相対位置をロックするロック機構を備える。支持脚は、ロック機構によって内部パイプを伸縮させることで伸縮される。これから分かるように、ロック機構は、支持脚の伸縮のためのキーである。従来技術では、多くのロック機構があり、中国特許出願公開第１０４６７５１８６号明細書では、折り畳み式テントが開示されている。該折り畳み式テントは、折り畳み可能なテント天井フレーム、テント天井フレームに覆われるターポリン、及びテント天井フレームを展開状態にロックするロック装置を備え、テント天井フレームは、ルーフフレーム及びルーフフレームの下方に接続される少なくとも３本の支持脚を備える。この支持脚は、外部パイプユニット、自体の長さ方向に沿って外部パイプユニットに伸縮可能に挿入され得る内部パイプ、及び外部パイプユニットと内部パイプとの間の相対位置を制限するロック機構を備える。このロック機構は、外部パイプユニットに可動に設けられて内部パイプに対して相対的に移動できる押圧シート、及び押圧シートが外部パイプユニットに当接するように押圧シートに力を印加するとともに、内部パイプの外壁に当接するばねを備える。ロック機構がロック状態であるとき、押圧シートは、ばねの作用力下で内部パイプの外壁に押し締められるため、内部パイプが移動不能になる。また、押圧シートは、外部パイプユニットに当接するため、押圧シートも自在に移動できず、操作者がばねの作用力に抗して押圧シートを動かしてロック機構をロック解除すると、押圧シートと内部パイプの外壁が互いに放されて、それにより、内部パイプが伸縮可能に移動できるようになる。すなわち、本考案は、押圧シートとばねの連携により外部パイプ、内部パイプのロックを実現する。しかしながら、該ロック機構は、ロック及びロック解除を実現するためにばねの作用を介する必要があり、ばねを使用するため該ロック機構の取り付けが困難になり、また、押圧シートがばねの弾性変形によりロックを実現し、ばねの疲労、信頼性の低下が存在する。
【考案の概要】
【考案が解決しようとする課題】
【０００４】
従来技術に存在する問題に対して、本考案の目的は、便利な伸縮式脚パイプ型ロック機構付きのテントの技術案を設計して提供することである。
【課題を解決するための手段】
【０００５】
テント天井フレームと、テント天井フレームの下方に接続される支持脚とを備え、前記支持脚は、固定脚パイプ、固定脚パイプの内部に上下に移動可能な可動脚パイプ、及び可動脚パイプの移動を制限するロック機構を備える前記便利な伸縮式脚パイプ型ロック機構付きのテントであって、前記ロック機構は、固定脚パイプに可動に設けられ、可動脚パイプに対して前後に移動可能なロック押圧板、及びロック押圧板と連動して可動脚パイプをロックするロック部材を備える、ことを特徴とする便利な伸縮式脚パイプ型ロック機構付きのテント。
【０００６】
前記固定脚パイプの下開口には、取り付けベースが固定して設けられ、前記取り付けベースには、ストローク孔が設けられ、前記ストローク孔には、設けられる軸を介してロック押圧板が接続され、前記ロック押圧板は、回転することにより軸をストローク孔に移動させ、それによりロック押圧板を可動脚パイプに対して前後移動させる、ことを特徴とする前記便利な伸縮式脚パイプ型ロック機構付きのテント。
【０００７】
前記ロック部材は、可動脚パイプと緊密に嵌合してロック可能なロック側、及びロック押圧板に接続された接続側を備え、前記ロック側は、ロック押圧板に連動して可動脚パイプに対して接離することでロック及びロック解除を実現する、ことを特徴とする前記便利な伸縮式脚パイプ型ロック機構付きのテント。
【０００８】
可動脚パイプに近い前記ロック押圧板の一側には、可動脚パイプの外部に延びる位置決めブロックがさらに設けられ、ロック状態では、前記位置決めブロックは、可動脚パイプに当接する、ことを特徴とする前記便利な伸縮式脚パイプ型ロック機構付きのテント。
【０００９】
前記ロック部材とロック押圧板は、軸を介して同軸に設けられる、ことを特徴とする前記便利な伸縮式脚パイプ型ロック機構付きのテント。
【００１０】
前記取り付けベースは、上下に結合された上部取り付けベースと下部取り付けベースを備える、ことを特徴とする前記便利な伸縮式脚パイプ型ロック機構付きのテント。
【００１１】
可動脚パイプに近い前記ロック押圧板の一側には、可動脚パイプの外部に延びる当接ピンが設けられ、前記当接ピンの内部には軸が設けられ、ロック状態では、前記当接ピンは、取り付けベース又は固定脚パイプに当接して、軸を可動脚パイプから遠いストローク孔の一端に移動させ、ロック解除状態では、前記当接ピンは、取り付けベース又は固定脚パイプと分離し、軸を可動脚パイプに近いストローク孔の一端に移動させる、ことを特徴とする前記便利な伸縮式脚パイプ型ロック機構付きのテント。
【００１２】
前記ロック部材は、Ｕ字形部材であり、その開口端が接続側であり、開口端から離れる一端がロック側であり、前記可動脚パイプはロック部材を貫通しており、ロック状態では、前記ロック側は、可動脚パイプに当接し、ロック解除状態では、前記ロック側は、可動脚パイプと分離している、ことを特徴とする前記便利な伸縮式脚パイプ型ロック機構付きのテント。
【００１３】
前記当接ピンには、円弧形案内面が設けられる、ことを特徴とする前記便利な伸縮式脚パイプ型ロック機構付きのテント。
【考案の効果】
【００１４】
従来技術に比べて、本考案は、以下の有益な効果を有する。
１）ロック押圧板とロック部材の同軸嵌合によって、構造が簡単で、接続信頼性が高く、且つ操作しやすく、ロック押圧板を回転すれば、ロック及びロック解除が可能であり、
２）取り付けベースにおけるストローク孔の設置によって、軸が移動しやすく、ロック部材の位置を制御しやすく、
３）ロック部材はＵ字形構造を用いることで、可動脚パイプとの嵌合度を向上させ、ロック時の安定性を向上させ、
４）ばね部材を用いる必要がなく、長期使用状態でばね疲労の問題を解消する。
【図面の簡単な説明】
【００１５】
【図１】本考案における折り畳み式テントの構造模式図である。
【図２】本考案の実施例１におけるロック機構の分解模式図である。
【図３】本考案の実施例１におけるロック機構の構造模式図である。
【図４】本考案の実施例１におけるロック状態の断面構造模式図である。
【図５】本考案の実施例１におけるロック解除状態の断面構造模式図である。
【図６】本考案の実施例２におけるロック機構でのロック押圧板とロック部材の構造模式図である。
【図７】本考案の実施例２におけるロック状態での断面構造模式図である。
【図８】本考案の実施例２におけるロック解除状態での断面構造模式図である。
【考案を実施するための形態】
【００１６】
以下、明細書の図面を参照しながら、本考案について更に説明する。
【００１７】
実施例１
図１に示すように、便利な伸縮式脚パイプ型ロック機構つきのテントは、テント天井フレーム１と、テント天井フレーム１の下方に接続される支持脚２とを備える。テント天井フレーム１は、従来技術のいかなるテント天井フレームであってもよい。支持脚２は、固定脚パイプ２０１、固定脚パイプ２０１の内部に上下に移動可能な可動脚パイプ２０２、及び可動脚パイプ２０２の移動を制限するロック機構を備える。固定脚パイプ２０１と可動脚パイプ２０２は、円管であってもよく、方形管であってもよく、従来技術の常用形状の脚パイプ構造であってもよい。
【００１８】
図２−５に示すように、ロック機構は、固定脚パイプ２０１に可動なように設けられ、可動脚パイプ２０２に対して前後に移動可能なロック押圧板２０４、及びロック押圧板２０４と連動して可動脚パイプ２０２をロックするロック部材２０６を備える。
【００１９】
具体的には、ロック押圧板２０４とロック部材２０６は、取り付けベース２０３を介して取り付けて嵌合することができる。取り付けベース２０３は、上下に結合された別体の上部取り付けベース２０３１と下部取り付けベース２０３２を備える。もちろん、上部取り付けベース２０３１と下部取り付けベース２０３２は、一体構造であってもよい。取り付けベース２０３の中部には貫通孔を有し、固定脚パイプ２０１は、貫通孔を貫通して取り付けベース２０３を固定脚パイプ２０１の下端口に固定する。上部取り付けベース２０３１と下部取り付けベース２０３２との間にはロック押圧板２０４とロック部材２０６の取り付け室が有る。
【００２０】
取り付けベース２０３には、所定の長さを有する、たとえば常用のトラック状環形孔などのストローク孔２０３３が設けられる。上記構造のストローク孔２０３３を用いることで、その内部に設けられる軸がストローク孔２０３３の長さに沿って移動しやすい。
【００２１】
ストローク孔２０３３は、設けられた軸２０５を介してロック押圧板２０４に接続されてもよい。軸２０５は、独立したピン軸であってもよく、ロック押圧板２０４の両端に設けられた凸軸であってもよい。ロック押圧板２０４が回転することで、軸２０５がストローク孔２０３３を移動することができる。それにより、ロック押圧板２０４が可動脚パイプ２０２に対して前後に移動することができる。好適な構造としては、可動脚パイプ２０２に近いロック押圧板２０４の一側に、可動脚パイプ２０２に延びる当接ピン２０４２が設けられ、当接ピン２０４２には押圧板軸孔２０４４が設けられ、押圧板軸孔２０４４に軸２０５が設けられる。ロック状態では、該当接ピン２０４２は、取り付けベース２０３または固定脚パイプ２０１に当接して軸２０５を可動脚パイプ２０２から離れるストローク孔２０３３の一端に移動させる。ロック解除状態では、該当接ピン２０４２は、取り付けベース２０３または固定脚パイプ２０１と分離して軸２０５を可動脚パイプ２０２に近いストローク孔２０３の一端に移動させる。より好適な構造としては、それぞれ可動脚パイプ２０２に近いロック押圧板２０４の一側の両端に一対の当接ピン２０４２が設けられる。ロック押圧板２０４を回転しやすくするために、当接ピン２０４２に、円弧形案内面２０４３が設けられ、ロック押圧板２０４を回転させると、該円弧形案内面２０４３が取り付けベース２０３または固定脚パイプ２０１と嵌合して、回転案内を実現できる。
【００２２】
ロック部材２０６とロック押圧板２０４は、ロック押圧板２０４が移動すると、ロック部材２０６を可動脚パイプ２０２に対して移動させることができる限り、軸２０５を介して同軸に設けられてもよく、もちろん、異なる軸に設けられてもよく、たとえば、可動脚パイプ２０２に近いロック押圧板２０４の一側に設けられてもよい。ロック部材２０６とロック押圧板２０４が軸２０５を介して同軸に設けられる場合、ロック部材２０６の左右変位を防止するように、ロック押圧板２０４の当接ピン２０４２の内側にロック部材位置決めブロックが設けられてもよい。
【００２３】
ロック部材２０６は、可動脚パイプ２０２と緊密に嵌合してロック可能なロック側２０６１、及びロック押圧板２０４に接続された接続側２０６２を備える。ロック側２０６１は、ロック押圧板２０４に連動して可動脚パイプ２０２に対して接離することでロック及びロック解除が可能である。好適な構造としては、ロック部材２０６は、Ｕ字形部材であり、その開口端は、インサートピン２０５に接続されるロック部材ピン穴２０６３が設けられる接続側２０６２であり、開口端から離れる一端はロック側２０６１であり、可動脚パイプ２０２がロック部材２０６を貫通している。ロック状態では、ロック側２０６１は、可動脚パイプ２０２に当接し、ロック解除状態では、ロック側２０６１は、可動脚パイプ２０２と分離している。
【００２４】
ロック押圧板２０４とロック部材２０６が同軸に設けられる場合、ロック押圧板２０４とロック部材２０６の具体的な連動方式は、以下のとおりである。ロック押圧板２０４を外へ引いて、軸２０５は、ロック押圧板２０４の作用下でストローク孔２０３３に沿って可動脚パイプに近いストローク孔２０３３の一端に変位すると同時に、ロック部材２０６を移動させ、ロック部材２０６のロック側２０６１の内側壁が可動脚パイプ２０２の外側壁と分離して、可動脚パイプ２０２と隙間を形成することで、可動脚パイプ２０２が上下に移動でき、ロック解除を実現する。ロック押圧板２０４を内へ引いて、軸２０５は、当接ピン２０４２の作用下で、ストローク孔２０３３に沿って可動脚パイプから離れるストローク孔２０３３の一端に変位すると同時に、ロック部材２０６を移動させ、ロック部材２０６のロック側２０６１の内側壁が可動脚パイプ２０２の外側壁と緊密に当接して、可動脚パイプ２０２との隙間を解消することで、可動脚パイプ２０２をロックさせ、可動脚パイプ２０２の上下移動を避け、ロックを実現する。
【００２５】
実施例２：
図６−８に示すように、本実施例における可動脚パイプ２０２に近いロック押圧板２０４の一側には可動脚パイプ２０２へ延びる位置決めブロック２０４１がさらに設けられる。ロック状態では、位置決めブロック２０４１は、可動脚パイプ２０２に当接し、ロック部材２０６と隙間をなくし、ロック補助効果を実現する。好適な構造としては、位置決めブロック２０４１は当接ピン２０４２の間に設けられる。
【００２６】
なお、以上の各実施例は、本考案の技術案を説明するためのものにすぎず、それを制限するものではない。前述した各実施例を参照しながら本考案を詳細に説明したが、当業者であれば、前述した各実施例に記載の技術案を補正したり、その一部又はすべての技術的特徴を同等置換したりすることができ、それらの補正や置換によって、対応する技術案の趣旨は本考案の各実施例の技術案の範囲を逸脱することがないと理解できる。
【符号の説明】
【００２７】
１−テント天井フレーム、２−支持脚、２０１−固定脚パイプ、２０２−可動脚パイプ、２０３−取り付けベース、２０３１−上部取り付けベース、２０３２−下部取り付けベース、２０３３−ストローク孔、２０４−ロック押圧板、２０４１−位置決めブロック、２０４２−当接ピン、２０４３−円弧形案内面、２０４４−押圧板軸孔、２０５−軸、２０６−ロック部材、２０６１−ロック側、２０６２−接続側、２０６３−ロック部材軸孔。
【図１】
0003230018.tif 000003
【図２】
0003230018.tif 000004
【図３】
0003230018.tif 000005
【図４】
0003230018.tif 000006
【図５】
0003230018.tif 000007
【図６】
0003230018.tif 000008
【図７】
0003230018.tif 000009
【図８】
0003230018.tif 000010